(57)【要約】無線アクセスポイント（ＡＰ）は無線ＡＰが動作するよう設計された国／地域を特定する地域コードを記憶する。この地域コードは無線ＡＰベンダーにより、又は前記無線ＡＰユーザー又はＧＰＳ受信機により提供された情報に応じて提供することができる。前記地域コードに応じて、前記無線ＡＰは前記地域内で使用を承認されている非ＷｉＦｉ無線通信チャネルにより、前記地域内で干渉を受けている一つ以上のＷｉＦｉチャネルを特定する。その後前記無線ＡＰは無線通信のためのＷｉＦｉチャネルを選択し、前記地域内で干渉を受けていると特定されたＷｉＦｉチャネルの選択を回避する。
2016507198.tif 000002
【特許請求の範囲】
【請求項１】
無線アクセスポイントにおいて地域コードを記憶することと、前記地域コードは前記無線アクセスポイントが動作する地域を特定する、
前記地域内で干渉を受ける一つ以上の無線チャネルを特定するために前記地域コードを使用することと、
前記無線アクセスポイントによって使用される無線チャネルを選択することと、前記無線チャネルは前記地域内で干渉を受ける前記一つ以上の無線チャネルを回避するよう選択される、を備える方法。
【請求項２】
前記地域内で干渉を受ける一つ以上の無線チャネルを特定するために前記地域コードを使用することは、前記地域コードに応じて前記地域内において無線通信に使用される一つ以上のセルラー無線帯域を特定することを備える、請求項１に記載の方法。
【請求項３】
前記地域内で干渉を受ける一つ以上の無線チャネルを特定することは、前記一つ以上のセルラー無線帯域を特定することに応じて行われる、請求項２に記載の方法。 
【請求項４】
前記無線アクセスポイントに対して利用可能な全地球測位システム（ＧＰＳ）データを使用して前記地域コードを決定することを更に備える、請求項１に記載の方法。
【請求項５】
外部無線デバイスのＧＰＳ受信機から前記ＧＰＳデータを受信することを更に備える、請求項４に記載の方法。
【請求項６】
前記無線アクセスポイントのＧＰＳ受信機から前記ＧＰＳデータを受信することを更に備える、請求項４に記載の方法。 
【請求項７】
前記無線アクセスポイントのユーザーインターフェースを介して前記地域コードを受信することを更に備える、請求項1に記載の方法。
【請求項８】
セルラー帯域情報を前記無線アクセスポイントに記憶することを更に備え、前記セルラー帯域情報は前記地域内で使用される一つ以上のセルラー帯域を特定する、請求項１に記載の方法。
【請求項９】
無線チャネル干渉情報を前記無線アクセスポイントに記憶することを更に備え、前記無線チャネル干渉情報は前記一つ以上のセルラー帯域における送信に応じて干渉を経験する一つ以上の無線チャネルを特定する、請求項８に記載の方法。
【請求項１０】
前記地域コードは前記無線アクセスポイントが動作する国を特定する、請求項1に記載の方法。
【請求項１１】
前記地域内で干渉を受ける前記一つ以上の無線チャネルを特定するために前記地域コードを使用することは、前記地域コードに応じて前記地域内において使用を承認された無線チャネルのグループを特定することを備える、請求項１に記載の方法。
【請求項１２】
前記地域内で干渉を受ける前記一つ以上の無線チャネルを特定するために前記地域コードを使用することは、前記地域内において使用を承認された前記無線チャネルのグループに応じて、前記地域内において干渉を受ける前記一つ以上の無線チャネルを特定することを更に備える、請求項11に記載の方法。  
【請求項１３】
前記地域内で干渉を受ける前記一つ以上の無線チャネルを特定することは、一つ以上のＷｉＦｉチャネルを特定することを備える、請求項1に記載の方法。
【請求項１４】
前記無線アクセスポイントが動作する地域を特定する地域コードを記憶するメモリーと、
前記メモリーに係合されるルックアップ構造と、前記ルックアップ構造は前記地域コードに応じて前記地域内において干渉を受ける一つ以上の無線チャネルを特定するリストを提供する、 
前記ルックアップ構造に係合されたチャネルセレクターとを備え、前記チャネルセレクターは前記無線アクセスポイントが無線通信のために使用する無線チャネルを選択し、前記無線チャネルの選択において、前記チャネルセレクターは前記リストにより特定された前記一つ以上の無線チャネルの選択を回避する、無線アクセスポイント。
【請求項１５】
前記無線アクセスポイントのユーザーから前記地域コードを受信するユーザーインターフェースを更に備える、請求項14に記載の無線アクセスポイント。
【請求項１６】
前記無線アクセスポイントの位置及び前記地域コードを決定する全地球測位システム（ＧＰＳ）受信機を更に備える、請求項14に記載の無線アクセスポイント。
【請求項１７】
前記リストの前記一つ以上無線チャネルが一つ以上のＷｉＦｉチャネルを含む、請求項14に記載の無線アクセスポイント。
【請求項１８】
前記ルックアップ構造が、
前記地域コードに応じて前記地域内において使用を承認された一つ以上の無線チャネルを特定する帯域リストを提供する第１ルックアップテーブルと、 
前記帯域リストに応じて前記地域内において干渉を受ける前記一つ以上の無線チャネルの前記リストを提供する第２ルックアップテーブルとを備える、請求項１４に記載の無線アクセスポイント。
【請求項１９】
前記ルックアップ構造が、前記地域内において使用を承認された前記一つ以上の無線チャネルの帯域リストにおける変更を反映するようプログラム可能である、請求項14に記載の無線アクセスポイント。
【請求項２０】
地域コードを記憶するための手段と、前記地域コードは前記無線アクセスポイントが動作する地域を特定する、
前記地域内において干渉を受ける一つ以上の無線チャネルを特定するために前記地域コードを使用する手段と、
前記無線アクセスポイントによって使用される無線チャネルを選択する手段とを備え、前記無線チャネルは前記地域内で干渉を受ける前記一つ以上の無線チャネルを回避するよう選択される、無線アクセスポイント。
【請求項２１】
前記地域内において干渉を受ける一つ以上の無線チャネルを特定するために前記地域コードを使用する前記手段は、
前記地域コードに応じて前記地域内の無線通信に使用される一つ以上のセルラー無線帯域を特定する手段を備える、請求項２０に記載の無線アクセスポイント。
【請求項２２】
前記地域内において干渉を受ける一つ以上の無線チャネルを特定するために前記地域コードを使用する前記手段は、
前記一つ以上のセルラー無線帯域に応じて干渉を受ける前記一つ以上の無線チャネルを特定する手段を更に備える、請求項２１に記載の無線アクセスポイント。
【請求項２３】
前記無線アクセスポイントに対して利用可能な全地球測位システム（ＧＰＳ）データを使用して前記地域コードを決定する手段を更に備える、請求項20に記載の無線アクセスポイント。
【請求項２４】
外部無線デバイスのＧＰＳ受信機から前記ＧＰＳデータを受信する手段を更に備える、請求項23に記載の無線アクセスポイント。
【請求項２５】
前記無線アクセスポイントのＧＰＳ受信機から前記ＧＰＳデータを受信する手段を更に備える、請求項23に記載の無線アクセスポイント。 
【請求項２６】
前記無線アクセスポイントのユーザーインタフェースを介して前記地域コードを受信する手段を更に備える、請求項20に記載の無線アクセスポイント。
【請求項２７】
前記地域内において干渉を受ける一つ以上の無線チャネルを特定するために前記地域コードを使用する前記手段は、
セルラー帯域情報を前記無線アクセスポイントに記憶する手段を更に備え、前記セルラー帯域情報は前記地域内で使用される一つ以上のセルラー帯域を特定する、請求項20に記載の無線アクセスポイント。
【請求項２８】
前記地域内において干渉を受ける一つ以上の無線チャネルを特定するために前記地域コードを使用する前記手段は、
無線チャネル干渉情報を前記無線アクセスポイントに記憶する手段を更に備え、前記無線チャネル干渉情報は前記一つ以上のセルラー帯域における送信に応じて干渉を経験する無線チャネルを特定する、請求項27に記載の無線アクセスポイント。
【請求項２９】
前記地域コードは前記無線アクセスポイントが動作する国を特定する、請求項20に記載の無線アクセスポイント。
【請求項３０】
前記地域内において干渉を受ける一つ以上の無線チャネルを特定するために前記地域コードを使用する前記手段は、 
前記地域コードに応じて前記地域内における使用を承認された無線チャネルのグループを特定する手段を備える、請求項20に記載の無線アクセスポイント。
【請求項３１】
前記地域内において干渉を受ける一つ以上の無線チャネルを特定するために前記地域コードを使用する前記手段は、 
前記地域内における使用を承認された無線チャネルのグループに応じて前記地域内において干渉を受ける一つ以上の無線チャネルを特定する手段を更に備える、請求項30に記載の無線アクセスポイント。  
【請求項３２】
前記地域内で干渉を受ける前記一つ以上の無線チャネルは、一つ以上のＷｉＦｉチャネルを備える、請求項19に記載の無線アクセスポイント。
【発明の詳細な説明】
【関連出願】
【０００１】
[0001] 本願は、2013年2月13日に出願された米国特許出願第13/766,700に優先権を主張し、それは参照により本明細書に組み込まれる。
【技術分野】
【０００２】
[0002] 本発明は（ＷｉＦｉ（登録商標）を含む）無線通信システムに使用される無線アクセスポイント（ＡＰ）に関する。より具体的には、本発明は非ＷｉＦｉ(例えば、BLUETOOTH（登録商標）（ブルーツース）及びセルラー)無線からの干渉が最小限となるよう無線ＡＰを動作させるための構造及び方法に関する。
【背景技術】
【０００３】
[0003] 図１は無線通信システムのブロック図であり、ＩＥＥＥ802.11通信プロトコル（ＷｉＦｉ）に従って稼働するよう構成された従来の無線ローカルエリアネットワーク（ＷＬＡＮ）100を含む。ＷＬＡＮ100は無線アクセスポイント（ＡＰ）101を含み、このアクセスポイントは複数のＷｉＦｉステーション（ＳＴＡ）1111-111Ｎと当業者に周知の方法で通信する。ＷｉＦｉステーション（ＳＴＡ）1111-111Ｎはそれぞれ対応する無線デバイス1101-110Ｎ内にインプリメントされる。無線ＡＰ101はＷｉＦｉチャネル105（すなわち、ＷｉＦｉ周波数帯域）を選択し、ＡＰ101のＷｉＦｉ無線102はこの選択されたＷｉＦｉチャネル105を使用しＷｉＦｉＳＴＡ1111-111ＮのＷｉＦｉ無線1121-112Ｎと通信する。無線ＡＰ101がどのようなＩＥＥＥ802.11プロトコルをインプリメントするかによってＷｉＦｉチャネル105は２Ｇ又は５Ｇ周波数帯域に存在する。      
[0004] ＷｉＦｉステーションとして機能するどの無線デバイスも複数の無線を含むことができる。例えば、無線デバイス1101は外部のブルーツースデバイス123との無線通信を可能にするブルーツース無線113を含むスマートフォンであってもよく、セルラーネットワーク124上で無線通信を可能にするセルラー無線114であっても良い。無線113-114によりもたらされた高調波やその他の機能障害はＷｉＦｉ2Ｇ及び5Ｇ帯域内の特定な周波数/チャネルに直接影響を及ぼす恐れがある。例えば、チャネル中心周波数が2.472ＧＨｚの2ＧＷｉＦｉ周波数帯域のチャネル13と対応すべく無線ＡＰ101がＷｉＦｉチャネル105を選択すると想定する。更にはセルラー無線114が824.2ＭＨｚチャネルを使用するＧＳＭ（登録商標）850セルラー帯域上のセルラーネットワーク124と通信し、2472.6ＭＨｚ（すなわち、824.2 MHz x 3）の第3高調波周波数を示すとする。セルラー無線１１４のこの第３高調波周波数は結果として２ＧＷｉＦｉチャネル13内に干渉をもたらすことになる。この干渉はローカルＷｉＦｉ無線1121内に感度損失をもたらし、ＷＬＡＮネットワーク100の性能を低下させる。
【０００４】
[0005] 無線ＡＰ101は無線媒体上の干渉の検出を試み、検出された干渉に応じてＷｉＦｉチャネル105の周波数帯域を選択する。これにより、干渉を受けた周波数帯域は回避される。しかしながら、無線ＡＰ101とそれに対応する無線デバイス1101の間には距離があるため、無線113-114によりもたらされる干渉は無線ＡＰ101で検出されるには充分な大きさではないかもしれない。すなわち、ＷｉＦｉ無線1121と無線113-114間は近接しているため（無線1121及び113-114は全て同一の無線デバイス1101に位置しているため）、無線113-114の干渉信号の強度は無線デバイス1101の付近のみで著しい。その結果、無線113-114によりもたらされた干渉の信号強度は近接したＷｉＦｉ無線112１に干渉するだけの充分な大きさはあり、上記の性能低下につながるものの、無線ＡＰ101により検出され（回避され）るだけの充分な高さはない。  
[0006] 更に、ＷｉＦｉＳＴＡ1111-111Ｎは選択されたＷｉＦｉチャネル105を変更すること（或いは、ＷｉＦｉＳＴＡ1111-111Ｎにより干渉を受けていると知られている周波数帯域に存在するＷｉＦｉチャネル105を無線ＡＰ101が選択することを回避すること）ができない。これは選択されたＷｉＦｉチャネル105が無線ＡＰにおより制御されているからである。 
[0007]  したがって、無線ＡＰにＷｉＦｉＳＴＡと通信するためのＷｉＦｉチャネルを選択させることを可能とする方法及び／又は装置が少なくとも求められており、その選択されたＷｉＦｉチャネルがＷｉＦｉＳＴＡと同一の無線デバイスに位置する非ＷｉＦｉ無線からの干渉を受けていないことが必要だ。
【発明の概要】
【０００５】
[0008] したがって、本発明は無線アクセスポイント（ＡＰ）が動作するよう指定された国／地域を特定する地域コードを記憶する無線ＡＰを提供する。この地域コードは無線ＡＰの販売に先立ち、ＡＰベンダーにより無線ＡＰに記憶することができる。或いは、この地域コードはユーザーが無線ＡＰをセットアップしているときに入力する情報に応じて決定することができる。別の実施形態では、地域コードは無線ＡＰ上の全地球測位システム（ＧＰＳ）受信機により提供される位置情報に応じて決定される。更に別の実施形態では、地域コードは無線ＡＰと無線通信している無線デバイス（例えば、スマートフォン）上のＧＰＳ受信機により提供される位置情報に応じて決定される。
【０００６】
[0009] この地域コードに応じて、無線ＡＰはその地域内で使用を承認されている非ＷｉＦｉ無線通信チャネルにより、その地域内で干渉を受ける一つ以上のＷｉＦｉチャネルを特定する。その後無線ＡＰは無線通信のためのＷｉＦｉチャネルを選択し、その地域内で干渉を受けていると特定されたＷｉＦｉチャネルの選択を回避する。
【０００７】
[0010] 一実施形態では、地域コードに応じて、干渉を受けているＷｉＦｉチャネルを特定するためにルックアップ構造が使用されている。例えば、第１ルックアップテーブルでは地域コードに応じて地域内で使用が承認されている非ＷｉＦｉ無線通信チャネル（例えば、ブルーツース及びセルラーチャネル）のリストが提供され、第２ルックアップテーブルでは地域内で使用が承認されている非ＷｉＦｉ無線通信チャネルのリストに応じて地域内で干渉を受けるＷｉＦｉチャネルのリストが提供される。ルックアップ構造のコンテンツは、地域内で使用を承認された非ＷｉＦｉ無線通信チャネルのリストへの変更を反映するため更新されうる。  
[0011] 本発明は以下の記載及び図面を考慮してより十分に理解されるであろう。
【図面の簡単な説明】
【０００８】
【図１】図１は、ＷｉＦｉステーションをインプリメントするためのＷｉＦｉ無線及びＷｉＦｉ無線へ干渉をもたらす増設された無線を含む無線デバイスを含む従来の無線ローカルエリアネットワーク（ＷＬＡＮ）のブロック図を示す。
【図２】図２は、指定された地域内で干渉を受けているＷｉＦｉチャネルを選択することを回避するＷＬＡＮを含む本発明の一実施形態による無線通信システムのブロック図を示す。
【図３】図３は、本発明の一実施形態による、地域コードに応じて干渉を受けているＷｉＦｉチャネルを特定するのに使用される図２におけるＷＬＡＮのチャネルルックアップテーブル（ＬＵＴ）及び干渉ＬＵＴのブロック図を示す。
【図４】図４は、本発明の一実施形態による無線ＡＰによりインプリメントされるプロセスを示すフローチャートを示す。
【図５】図５は、本発明の代替の実施形態による、地域コードを指定するための追加的な構造をいくつか含むために変更された図２の無線通信システムのブロック図を示す。
【発明を実施するための形態】
【０００９】
[0017] 図２は本発明の一実施形態によるＷＬＡＮ200を含む無線通信システムのブロック図である。ＷＬＡＮ200は無線（ＷｉＦｉ）アクセスポイント（ＡＰ）201、及びそれぞれ無線デバイス2101-210Ｎ内にインプリメントされたＷｉＦＩステーション（ＳＴＡ）2111-211Ｎを含む。無線デバイス2101-210Ｎはスマートフォン、あるいは他の同様なデバイスであってもよい。ＷｉＦｉＳＴＡ2111-211ＮはそれぞれＷｉＦｉ無線2121-212Ｎを含み、ＷｉＦｉ無線2121-212Ｎは選択されたＷｉＦｉチャネル208上で無線ＡＰ201内のＷｉＦｉ無線202と通信する。  
[0018] 無線デバイス2101-210ＮはＷｉＦｉ無線2121-212Ｎに加え無線を含む  （すなわち、非ＷｉＦｉ無線）。例えば、無線デバイス2101-210Ｎはそれぞれブルーツース無線2131-213Ｎ、またそれぞれセルラー無線2141-214Ｎを含む。ブルーツース無線2131-213Ｎは無線（ブルツース）通信チャネル／帯域を使用し、それぞれ外部のブルーツース無線2231-223Ｎと通信する。同様に、セルラー無線2141-214Ｎは無線（セルラー）通信チャネル／帯域を使用し、それぞれセルラーネットワーク2241-224Ｎと通信する。本例ではブルツースやセルラー無線が記載されているが、本発明の別の実施形態においては、他のタイプの非ＷｉＦｉ無線が無線デバイス2101-210Ｎ上に位置されていても良いことが理解できる。ブルーツース無線2131-213Ｎ及びセルラー無線2141-214Ｎから送信された信号は結果として様々な無線によりインプリメントされる周波数によりＷｉＦｉチャネル208上で送信された信号と干渉する恐れがある。このような干渉の一例が図１のＷＬＡＮ100と関連して上記に記載されている。 
[0019]  無線ＡＰ201は無線ＡＰ201が動作する国（又は地域）を特定する情報を記憶する。一実施形態では、無線ＡＰ201は地域コードレジスタ203を含む。地域コードレジスタ203は無線ＡＰ201が販売され使用される国／地域を特定する地域コード（Ｒ＿ＣＯＤＥ）を記憶する。国や地域が異なると規制当局も異なり、これらの国や地域で動作するＷｉＦｉシステムへ異なる規制制限が課される（例えば、米国におけるＷｉＦｉシステムは連邦通信委員会  （ＦＣＣ）により規制されている）。よって、地域コードであるＲ＿ＣＯＤＥは無線ＡＰ201が動作する規制ドメインを特定する。
【００１０】
[0020]  本発明の一実施形態によると、地域コードＲ＿ＣＯＤＥはルックアップ構造204へ提供される。以下詳細に示すように、ルックアップ構造204は、地域コードＲ＿ＣＯＤＥに応じて、干渉を受ける一つ以上のＷｉＦｉチャネルのリスト（Ｘ＿ＬＩＳＴ）を提供する。一般的には、干渉を受けるＷｉＦｉチャネルのリストＸ＿ＬＩＳＴは地域コードＲ＿ＣＯＤＥにより指定された国／地域で使用を承認された非ＷｉＦｉ無線通信チャネル／帯域を考慮して決定される。
【００１１】
[0021]  干渉を受けるＷｉＦｉチャネルのリストＸ＿ＬＩＳＴはＷｉＦｉチャネルセレクタ207に提供され、ＷｉＦｉチャネルセレクタ207は無線ＡＰ201のＷｉＦｉ無線202によって使用されるＷｉＦｉチャネル208を選択する。一実施形態においては、ＷｉＦｉ無線202によって使用されるＷｉＦｉチャネル208を選択する際、ＷｉＦｉチャネルセレクタ207はリストＸ＿ＬＩＳＴによって指定されたＷｉＦｉチャネルを単にどれでも使用するわけではない。代替の実施形態では、ＷｉＦｉチャネルセレクタ207は残りのＷｉＦｉチャネル（例えば、リストＸ＿ＬＩＳＴによって指定されていないＷｉＦｉチャネル）が無線媒体上で実際干渉を受けていることを決定した後に初めてリストＸ＿ＬＩＳＴによって指定されたＷｉＦｉチャネルを使用する。ここで留意すべきは、ＷｉＦｉチャネルセレクタ207が無線ＡＰ201によって使用されるＷｉＦｉチャネル208を選択する際、リストＸ＿ＬＩＳＴに加え、従来の条件やパラメータも考慮に入れるということである。これらの条件やパラメータは当業者に周知であり、ここで特に記載することではない。  
[0022]  無線ＡＰ201がどのＷｉＦｉチャネルを使用すべきかを決定する際、ＷｉＦｉチャネルセレクタ207はＷｉＦｉ無線202にチャネル選択値（ＣＨＡＮ＿ＳＥＬ）を送信する。そこでチャネル選択値ＣＨＡＮ＿ＳＥＬは決定されたチャネルをＷｉＦｉチャネルとして使用するようＷｉＦｉ無線202に働きかける。
【００１２】
[0023]  本発明の一実施形態では、ルックアップ構造204はチャネルルックアップテーブル（ＬＵＴ）及び干渉ＬＵＴ206を含む。図３は、本発明の一実施形態によりチャネルＬＵＴ205及び干渉ＬＵＴ206を更に詳細に示したブロック図である。 
[0024]  地域コード値Ｒ＿ＣＯＤＥは、地域コードＲ＿ＣＯＤＥにより指定された国／地域に応じて、Ｒ１，  Ｒ２，  ．．．，  Ｒｘの値をとる。例えば、Ｒ１の地域コードＲ＿ＣＯＤＥは無線ＡＰ201が米国で使用されることを示すかもしれない。地域コードＲ＿ＣＯＤＥ（例えば、Ｒ１，  Ｒ２，  ．．．，  Ｒｘ）は、チャネルＬＵＴ205の対応するエントリー（例えば、それぞれ3001, 3002, … 300X）にアクセスするために使用され、これら対応するそれぞれのエントリーが関連づけられた国／地域の規制ドメインにより使用されることを承認された非ＷｉＦｉ無線周波数帯域を特定する。例えば、Ｒ１の地域コード値はチャネルＬＵＴ205の対応するエントリー3001にアクセスする。エントリー3001は米国における無線通信のためＦＣＣにより承認された非ＷｉＦｉ無線周波数帯域（例えば、ブルーツース及びセルラー周波数帯域）を特定する。  
[0025]  記載された実施形態では、それぞれの無線周波数帯域が対応する帯域値により特定されており、可能な帯域値はＢ1，  Ｂ2，  ．．．ＢＹにより表されている。よって、チャネルＬＵＴ205のそれぞれのエントリー3001-300Ｘは一つ以上の帯域値Ｂ１-ＢＹを含み、それぞれのエントリー3001-300Ｘは関連づけられた国／地域における無線通信が承認されている非ＷｉＦｉ無線周波数帯域に対応する帯域値のリスト（Ｂ＿ＬＩＳＴ）を含むようになっている。例えば、帯域値Ｂ１はＧＳＭ850セルラー帯域に対応し得、エントリー3001中の帯域値Ｂ１の存在がＧＳＭ850セルラー帯域が米国内で承認されている無線通信帯域であることを示す。
【００１３】
[0026]  地域コードＲ＿ＣＯＤＥに応じてチャネルルックアップテーブル205から取得された帯域リストＢ＿ＬＩＳＴは干渉ＬＵＴ206に提供される。取得された帯域リストＢ＿ＬＩＳＴ（例えば、Ｂ1，  Ｂ2，  ．．．ＢＹ）の帯域値は干渉ＬＵＴ206の対応するエントリー（例えば、各々3501、3502、・・・350Y）にアクセスするために使用され、これらの対応するエントリーはそれぞれ帯域リストＢ＿ＬＩＳＴの帯域値により特定される非ＷｉＦｉ無線通信チャネルにおいて送信される信号により干渉を受けるＷｉＦｉチャネルがあればそれを特定する。例えば、帯域値Ｂ1は干渉ＬＵＴ206の対応するエントリー3501にアクセスするために使用され、このエントリー3501は2ＧＷｉＦｉチャネル13をＧＳＭ850周波数帯域の動作に応じて干渉を受けたＷｉＦｉチャネルとして特定する。
【００１４】
[0027] 記載された実施形態では、それぞれのＷｉＦｉチャネルは干渉ＬＵＴ内の対応するＷｉＦｉチャネル値により特定されており、可能なＷｉＦｉチャネルはＷｉＦｉチャネル値Ｘ1，Ｘ2，  ．．．ＸＺにより特定される。干渉ＬＵＴ206のそれぞれのエントリー3501-350Ｙは対応する無線通信帯域に関連づけられる干渉（あれば）に依存してＷｉＦｉチャネル値をいくつ含んでいても良い。ここで留意すべきは干渉ＬＵＴ206は受信された帯域リストＢ＿ＬＩＳＴにおけるそれぞれの帯域値に対してアクセスされるということである。よって、複数のＷｉＦｉチャネルが受信された帯域リストＢ＿ＬＩＳＴにより特定される様々な帯域からの干渉を受け得る。受信された帯域リストＢ＿ＬＩＳＴに応じて干渉ＬＵＴ206から取得されたすべてのＷｉＦｉチャネル値がＷｉＦｉチャネルセレクター207（ＦＩＧ．２）にリストＸ＿ＬＩＳＴとして提供される。上記するように、ＷｉＦｉチャネルセレクター207は受信されたリストＸ＿ＬＩＳＴに応じてＷｉＦｉラジオ202により使用されるべきＷｉＦｉチャネルを選択する（例えば、受信されたリストＸ＿ＬＩＳＴにより特定されたＷｉＦｉチャネルを選択しないことにより）。
【００１５】
[0028] ここで留意すべきは、上記の実施形態は関連づけられた国／地域において干渉を受ける可能性があるあらゆるＷｉＦｉチャネルをＷｉＦｉチャネルセレクター207が回避するよう働きかけるということである。よって、上記の例では、米国においてＧＳＭ850セルラー帯域の使用が承認されている事実を考慮し、ＷｉＦｉチャネルセレクター207はたとえ無線ＡＰ201とのＷｉＦｉ通信に係っているどの無線デバイス2101-210Ｎも実際ＧＳＭ850セルラー帯域を使用している可能性がないとしても2ＧＷｉＦｉチャネル13を選択することはない。 
[0029] ルックアップ構造204は二つのＬＵＴ205-206の使用に関連して説明されてきたが、このルックアップ構造204は本発明の他の実施形態では他の様々な方法によりインプリメントすることができると理解される。そのような代替の実施形態においては、干渉チャネルリストＸ＿ＬＩＳＴは地域コード値Ｒ＿ＣＯＤＥに応じて単一のルックアップテーブルにより提供される。
【００１６】
[0030] 図４は本発明の一実施形態に従って無線ＡＰ201によりインプリメントされるプロセスを示したフロー図400を示す。上記のように、地域コードＲ＿ＣＯＤＥは最初に無線ＡＰ201のコードレジスタ203に記憶される（ステップ401）。その後、地域コードＲ＿ＣＯＤＥは地域コードＲ＿ＣＯＤＥによって特定された地域内の干渉を受ける一つ以上の無線チャネルを特定するために使用される（例えば、ルックアップ構造204によって）（ステップ402）。その後、無線ＡＰ201は通信するための無線チャネルを（例えば、チャネルセレクタ207を使用して）選択し、無線ＡＰ201はその地域内で干渉を受けると特定された無線チャネルの選択を回避する（ステップ403）。
【００１７】
[0031] 一実施形態によると、無線ＡＰ201のコードレジスタ203により記憶された地域コードＲ＿ＣＯＤＥは無線ＡＰ201の販売に先立ちベンダーにより指定される（例えば、製造中に）。無線ＡＰ201は関連づけられた国／地域においてのみ販売（及び動作のため指定される）。ここで留意すべきは、あるバリエーションでは、ルックアップ構造204は簡略化され、地域コードＲ＿ＣＯＤＥにより指定された国／地域に関連づけられたエントリーのみを含むようになっている。  
[0032] 本発明の別の実施形態によると、特定の国／地域内での使用を承認された非ＷｉＦｉ無線通信帯域（及び／又は干渉を受けるＷｉＦｉチャネル）が無線ＡＰ201の販売後変わった場合、チャネルＬＵＴ205及び干渉ＬＵＴ206のコンテンツは外部プログラミングインターフェースを介して（例えば、インターネットを介して）動的に更新される。  
[0033] 上記実施形態は無線ＡＰの販売に先立ちベンダーにより指定された地域コードＲ＿ＣＯＤＥをインプリメントするものの、本発明の他の実施形態では他の方法で地域コードＲ＿ＣＯＤＥを指定することができると理解される。図５はＷＬＡＮ200のブロック図であり、本発明の他の実施形態に従って地域コードＲ＿ＣＯＤＥを指定するのに使用可能な幾つかの追加構造を含むよう変更されているものである。具体的には、ＷＬＡＮシステム200はユーザーインターフェース501、全地球測位システム（ＧＰＳ）受信機510及び／又はＧＰＳ受信機520を含むよう変更することができる。
【００１８】
[0034] 無線ＡＰのユーザーはユーザーインターフェース501により地域コードレジスタ203に記憶すべき地域コードＲ＿ＣＯＤＥを指定することができる。無線ＡＰ201の初期化／セットアップにおいて、無線ＡＰ201のユーザーはユーザーインターフェースを介して無線ＡＰ201が使用されている国／地域を特定する情報をエンターするよう促される。このユーザーによりエンターされた情報は特定された国／地域に対応する地域コードＲ＿ＣＯＤＥを選択するのに使用される。選択された地域コードＲ＿ＣＯＤＥはコードレジスタ203に書かれ、上記に記載された方法で干渉を受けるＷｉＦｉチャネルを特定するのに使用される。  
[0035]  上記の方法でユーザーに地域コードＲ＿ＣＯＤＥをエンターさせることは複数の国を含む制御地域においては特に有益である。例えば、ある無線ＡＰはヨーロッパでの販売及び使用に指定され、これらのＡＰはどのヨーロッパの国においても使用可能である。この場合、ベンダー指定の地域コードはまさに（ヨーロッパを指定する）「地域」コードである。しかしながら、使用する無線通信帯域はヨーロッパの国によって異なる。ユーザーに無線ＡＰ201が動作する実際の国を指定させることで、無線ＡＰ201が実際使用される国においてより正確に干渉を受けるＷｉＦｉチャネルを特定することができる。本例で留意すべきことは、ヨーロッパの各国がルックアップ構造204内に対応する地域コードＲ＿ＣＯＤＥ及び対応するエントリーのセットを有することである。  
[0036] 別の実施形態においては、ＧＰＳ受信機510が無線ＡＰ201内に含まれる。この実施形態では、ＧＰＳ受信機510は当業者により周知の方法で無線ＡＰ201の位置を決定し、それに応じて決定された位置に対応する地域コードＲ＿ＣＯＤＥをコードレジスタ203にエンターする。
【００１９】
[0037] 更に別の実施形態によると、無線デバイス2101内に含まれるＧＰＳ受信機520は無線デバイス2101の位置を決定する。無線デバイス2101はこの決定された位置を無線ＡＰ201に送信する（例えば、ＷｉＦｉチャネル208を介してＷｉＦｉ無線2121からＷｉＦｉ無線202へ）。それに応じて、無線ＡＰ201は無線デバイス2101の決定された位置に対応する地域コードＲ＿ＣＯＤＥをコードレジスタ203にエンターする。  
[0038]  当業者は、情報および信号が様々な異なる技術ならびに技法のいずれかを使用して表されうることを理解するだろう。例えば、上記の説明全体にわたって参照されうるデータ、命令、コマンド、情報、信号、ビット、シンボル、およびチップは、電圧、電流、電磁波、磁場または磁性粒子、光場または光粒子、あるいはそれらの任意の組み合わせによって表されうる。
【００２０】
[0039]  当業者はさらに、本明細書で開示された実施形態に関連して説明された多様な実例となる論理ブロック、モジュール、回路、およびステップが、電子ハードウェア、コンピュータソフトウェア、または両方の組み合わせとしてインプリメントされ得ることをさらに理解するであろう。ハードウェアおよびソフトウェアのこの互換性を明確に例示するために、様々な例示的な構成要素、ブロック、モジュール、回路、およびステップは、概してそれらの機能の観点から上記に説明された。このような機能が、ハードウェアとしてインプリメントされるか、あるいはソフトウェアとしてインプリメントされるかは、特定のアプリケーションおよびシステム全体に課せられる設計制約に依存する。当業者であれば、説明された機能を特定のアプリケーションごとに様々な方法でインプリメントしうるが、このようなインプリメントの決定は、本開示の範囲からの逸脱を生じるものと解釈されるべきではない。
【００２１】
[0040]  本明細書で開示された態様に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明された機能を実行するように設計されたこれらの任意の組み合わせを用いてインプリメントまたは実行されうる。汎用プロセッサは、マイクロプロセッサでありうるが、代替として、このプロセッサは、任意の従来のプロセッサ、コントローラ、マイクロコントローラ、またはステートマシンでありうる。プロセッサはまた、例えば、ＤＳＰとマイクロプロセッサ、複数のマイクロプロセッサ、ＤＳＰコアと連動した一以上のマイクロプロセッサ、または他の任意のそのような構成の組み合わせのような、コンピューティングデバイスの組み合わせとしてインプリメントされうる。
【００２２】
[0041]  ここに開示された実施形態に関連して説明された方法またはアルゴリズムのステップは、直接ハードウェアで、プロセッサによって実行されるソフトウェアモジュールで、またはこれら２つの組み合わせで、具現化（embodied）されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバルディスク、ＣＤ−ＲＯＭ、または当該技術分野において周知であるその他任意の形状の記憶媒体内に存在しうる。典型的な記憶媒体は、プロセッサがこの記憶媒体から情報を読み取り、また、この記憶媒体に情報を書き込むことができるように、プロセッサに結合されうる。代替として、記憶媒体は、プロセッサと一体化されうる。プロセッサおよび記憶媒体は、ＡＳＩＣ内に存在しうる。ＡＳＩＣは、ユーザ端末内に存在しうる。代替として、プロセッサおよび記憶媒体は、ユーザ端末内に個別構成要素として存在しうる。
【００２３】
[0042]  １つまたは複数の典型的な実施形態では、説明された機能は、ハードウェア、ソフトウェア、ファームウェア、またはこれらの任意の組み合わせでインプリメントされうる。ソフトウェアでインプリメントされる場合、これら機能は、コンピュータ可読媒体上で、１つまたは複数の命令またはコードとして送信または記憶されうる。コンピュータ読み取り可能な媒体は、１つの場所から別の場所へのコンピュータプログラムの転送を容易にする任意の媒体を含む、コンピュータ記憶媒体および通信媒体の両方を含む。記憶媒体は、コンピュータによってアクセスされることができる任意の利用可能な媒体であり得る。限定ではなく、例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶するまたは伝えるために使用されることができ、かつコンピュータによってアクセスされることができる任意の他の媒体を備えることができる。更に、任意の接続は厳密にはコンピュータ読み取り可能な媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここで、ディスク（disks）は、通常磁気的にデータを再生し、一方ディスク（discs）は、レーザーを用いて光学的にデータを再生する。上記の組み合わせもまた、コンピュータ可読媒体の範囲内に含まれるべきである。
【００２４】
[0043]  開示された実施形態の上記説明は、いかなる当業者であっても、本開示を製造または使用できるように提供される。これらの実施形態に対する様々な修正は、当業者にとって容易に明らかであり、ここで定義された一般的な原理は、本開示の趣旨または範囲から逸脱することなく、他の実施形態に適用されうる。したがって、本開示は、ここに示された実施形態に限定されるようには意図されず、ここに開示される原理および新規な特徴と一致する最も広い範囲を与えられることとなる。
【図１】
2016507198.tif 000003
【図２】
2016507198.tif 000004
【図３】
2016507198.tif 000005
【図４】
2016507198.tif 000006
【図５】
2016507198.tif 000007
【国際調査報告】
2016507198.tif 000008
2016507198.tif 000009
2016507198.tif 000010
2016507198.tif 000011